(57)【特許請求の範囲】
【請求項１】
手持ちのパーソナルケア用の電気器具であって、磁気リニア駆動ユニット（５）を含み、前記磁気リニア駆動ユニットは第１及び第２の駆動部品（６、７）を有し、前記第１及び第２の駆動部品は、互いに対して線形振動するように第１のバネ装置（１４、１５）によって互いに接続されるとともに、互いに磁気的に相互作用するように適合され、第２のバネ装置（２７、２８）を含む駆動支持体（１７）が、前記駆動ユニット（５）を取付け構造（１６）上に可動に支持するように設けられ、前記駆動支持体（１７）によって、前記取付け構造に対する前記駆動ユニット（５）の回転軸（２２）が与えられ、それにより前記駆動部品（６、７）は前記取付け構造（１６）に対して回転することができ、前記回転軸（２２）は、前記駆動部品（６、７）の振動の中心及び／又は前記駆動ユニット（５）の重心から離間に配置され、
前記駆動支持体（１７）の前記第２のバネ装置（２７、２８）は、前記駆動ユニット（５）を前記取付け構造（１６）に対して支持する一対のバネ要素（２８）を含み、前記バネ要素対（２８）は、前記少なくとも１つの回転軸（２２）の周りに回転可能な前記駆動ユニット（５）を支持する４点接合部を規定し、前記４点接合部は、前記取付け構造（１６）に固定される２つの接続点（３０）と、前記駆動ユニット（５）に固定される２つの接続点（２９）とを含み、
前記駆動ユニット（５）に固定される前記接続点（２９）の互いからの距離は、前記取付け構造（１６）に固定される前記接続点（３０）の互いからの距離とは異なることを特徴とする、電気器具。
【請求項２】
前記バネ要素対は、前記駆動ユニット（５）の両側に設けられた板バネ（２８）を含み、前記板バネは、互いに対して傾斜して配列されており、及び／又はそれらの長手方向軸（２０）によって前記駆動ユニット（５）の中心領域の外側に仮想交点（２１）を規定するように配列されている、請求項１に記載の電気器具。
【請求項３】
前記板バネ（２８）は、前記駆動部品（６、７）が非能動である前記駆動ユニット（５）の中立位置において、前記板バネ（２８）間の傾斜角として２×０．５°〜２×２５°又は２×１°〜２×１０°の範囲を規定するように配列されている、請求項２に記載の電気器具。
【請求項４】
前記板バネ（２８）はＶ配置で配列され、前記仮想交点（２１）は、前記駆動ユニット（５）の、前記駆動ユニット（５）によって駆動される前記電気器具の機能要素と反対側に位置する、請求項２又は３に記載の電気器具。
【請求項５】
前記板バネ（２８）はＶ配置で配列され、前記仮想交点（２１）は、前記駆動ユニット（５）の、前記駆動ユニット（５）によって駆動される前記電気器具の機能要素に面する側に配列される、請求項２又は３に記載の電気器具。
【請求項６】
前記駆動支持体（１７）及び／又は前記駆動支持体（１７）の前記第２のバネ装置（２７、２８）の少なくとも一方が、前記駆動ユニット（５）によって駆動される前記電気器具の機能要素の振動振幅を、前記駆動ユニット（５）の振動振幅に基づいて増加又は減少させる速度伝達比を与えるように構成されている、請求項１〜５のいずれか一項に記載の電気器具。
【請求項７】
前記駆動支持体（１７）は、前記少なくとも１つの回転軸（２２）が、前記駆動ユニット（５）の振動軸（９）を横断するように及び／又は前記電気器具のハンドピースの長手軸（２５）を横断するように、延在するように適合されている、請求項１〜６のいずれか一項に記載の電気器具。
【請求項８】
前記第１及び第２の駆動部品（６、７）は、前記第１及び第２の駆動部品（６、７）の互いに対する線形振動を可能にする振り子支承（１４）又は４点支承によって互いに接続されている、請求項１〜７のいずれか一項に記載の電気器具。
【請求項９】
前記振り子支承は、前記第１のバネ装置（１４、１５）によって形成されている、請求項８に記載の電気器具。
【請求項１０】
前記第１及び第２の駆動部品（６、７）の少なくとも一方は、前記取付け構造（１６）に、前記少なくとも１つの駆動部品（６、７）が前記線形振動軸（９）に沿って前記取付け構造（１６）に対して線形振動するための振り子支承（２７）又は４点支承によって接続されている、請求項１〜９のいずれか一項に記載の電気器具。
【請求項１１】
前記振り子支承（２７）は、前記第２のバネ装置（２７、２８）によって形成されている、請求項１０に記載の電気器具。
【請求項１２】
前記駆動支持体（１７）は、前記取付け構造（１６）及びその上に支持された前記駆動部品（６、７）の前記少なくとも１つの回転軸（２２）の周りの動きを減衰させるための制動器を含む、請求項１〜１１のいずれか一項に記載の電気器具。
【発明の詳細な説明】
【技術分野】
【０００１】
本発明は、パーソナルケア用の電気器具、特に電気シェイバーであって、磁気リニア駆動ユニットを含み、磁気リニア駆動ユニットは第１及び第２の駆動部品を有し、第１及び第２の駆動部品は、互いに対して線形変位するように第１のバネ装置によって互いに接]続されるとともに、互いに磁気的に相互作用するように適合され、駆動支持体が駆動ユニットを取付け構造上に支持するように設けられ、前記駆動支持体は、取付け構造に対する駆動ユニットの動きを可能にする第２のバネ装置を含む、電気器具に関する。
【背景技術】
【０００２】
小型のパーソナルケア用電気器具は多くの場合に、電気式（より詳細には磁気式）駆動ユニットによって駆動される機能要素又は加工工具を含んでいる。駆動ユニットは、手持ちすべきハンドピースを形成する場合があるハウジング要素内に収容されている場合がある。
【０００３】
例えば、電気シェイバーは１つ以上のカッター要素を有して、カッター要素は電気駆動ユニットによって、カッター要素がせん断フォイル下で往復運動する振動様に駆動される場合があり、このようなカッター要素又はアンダーカッターは、細長い形状を有している場合があり、それらの長手軸に沿って往復運動する場合がある。他のタイプの電気シェイバーでは、振動して又は連続して駆動される場合がある回転カッター要素を用いている。前記電気駆動装置は、電動モータ又は磁気式リニアモータを含んでいる場合がある。駆動ユニットは、モータの駆動動作をカッター要素に伝達するための細長い駆動伝達部を含んでいる場合がある。
【０００４】
このような駆動システムは時々、第１及び第２の駆動部品を含む線形型駆動ユニットを含んでいる。第１及び第２の駆動部品は、互いに対して実質的に線形に（すなわち実質的に線形軸に沿って）往復又は振動する。駆動力は磁界によってもたらされる場合がある。例えば、駆動部品の１つに永久磁石が含まれている場合があるが、駆動部品の別の１つに１つ以上の磁気コイルが含まれている場合があり、磁気コイルにパルス状電流が印加されてパルス状磁界が形成され、それにより２つの駆動部品が互いに対して振動する。駆動部品の少なくとも１つは、駆動部品の振動運動を、駆動すべき機能要素（例えば、前述のカッター要素）に伝達する伝達列に接続している。このような伝達列は、伝達部ピンであって、カッター要素に直接接続するか、又はカッター要素の旋回運動を可能にする可縮性ブリッジ構造によってカッター要素に間接的に接続される伝達部ピンを含んでいてもよい。
【０００５】
例えば、米国特許出願公開第２００９／００２５２２９（Ａ１）号又は米国特許第７，８４１，０９０（Ｂ２）号には、電気シェイバーとして、せん断フォイルの下に設けられた一対のカッター要素を有し、振動可能に駆動されるものが開示されている。
【０００６】
更に、国際公開第０３／１０３９０５（Ａ１）号及び欧州特許第０６７４９７９（Ａ１）号では、シェイバー用の線形振動駆動ユニットが開示されている。互いに対して直線状に振動する駆動部品には、一方で永久磁石及び他方で磁気コイルが含まれている。
【０００７】
このようなシステムでは、駆動部品の１つは、取付け構造又は設置環境に強固に接続される場合がある。取付け構造又は設置環境は、駆動ユニットが収容される電気器具のハウジング部分によって形成されるハンドピースであることが多い。例えば、永久磁石がハンドピースの内側に、駆動キャリア又はそれに接続された取付け構造を介して堅固に支持されるか又は固定して接続されている場合があるが、磁気コイルを含む他の駆動部品が前記駆動キャリア上に可動に支持されて、線形振動を例えば振り子支承によって可能にしている場合がある。駆動部品の１つがハンドピースに固定して接続されるために、望ましくない振動がハンドピース上に含まれる可能性があり、それにより、取り扱いやすさが低下する。
【０００８】
ハンドピース上へのこのような望ましくない振動を減らすために、前記取付け構造に対して移動可能な両方の駆動部品を支持して、両方の駆動部品が反対に作用するように、線形振動できるようにすることがすでに提案されている。例えば、国際特許出願第ＷＯ０３／１０３９０５（Ａ１）号では、駆動部品の１つを固定しないが、２つの駆動部品を互いにリンクするリンク機構又は振り子バーを、駆動キャリアに、したがって設置環境（ハンドピースハウジングの内側部分という形で）に固定することが提案されている。このように振り子支承を駆動キャリアに固定することによって、両方の駆動ユニットが振動軸の方向に一種の逆運動で振動することができる。第１の駆動部品が左に移動するときに他方の駆動部品が右に移動し、逆もまた同様である。このような逆振動によって、ハンドピースの前述の望ましくない振動が減る場合がある。
【０００９】
しかし、駆動部品及び／又は位相オフセットの許容誤差に起因して、依然として逆運動の動的効果の不一致が存在し、したがってハンドピースを手で握ると振動が感じられることがある。駆動ユニットの振動部品間のこのような位相オフセットは、例えばせん断フォイルとカッター要素との間の摩擦効果によって生じる場合がある。部品が正確に１８０°反対位相で振動しないと振動が生じる。また、振動するモータ部品上にアンバランスな又は異なる負荷が存在すると、例えば１つの要素又は部品のみが負荷下にあると、所望の動的補償はもはや達成されない場合がある。
【００１０】
更に、駆動部品の振動振幅に制約があって取付けスペースに制約があるために、シェイバーヘッドにおけるカッター要素は、所望の振動振幅で駆動することができないことがある。モジュール方式を適用することによって製造コストを低く保つために、異なるタイプのシェイバーに対して同じタイプの駆動ユニットが用いられることがあるため、このような共通の駆動ユニットによって生じる振動振幅は、すべてのシェイバータイプにフィットするわけではない。そのため、特定のシェイバータイプのカッター要素は所望の振動振幅では駆動されない。また、より高い駆動力をより小さい振動振幅で有するか、又は代替的に、より低い駆動力をより大きい振幅で有することによって、速度伝達比を減少又は増加させることが望ましいことがある。
【先行技術文献】
【特許文献】
【００１１】
【特許文献１】米国特許出願公開第２００９／００２５２２９（Ａ１）号
【特許文献２】米国特許第７，８４１，０９０（Ｂ２）号
【特許文献３】国際公開第０３／１０３９０５（Ａ１）号
【特許文献４】欧州特許第０６７４９７９（Ａ１）号
【特許文献５】国際特許出願第ＷＯ０３／１０３９０５（Ａ１）号
【発明の概要】
【課題を解決するための手段】
【００１２】
本発明の基礎をなす目的は、従来技術の不利点の少なくとも１つを回避し及び／又は既存の解決方法を更に発展させる改善されたパーソナルケア用の電気器具を提供することである。本発明の基礎をなすより詳しい目的は、高振動周波数下での駆動効率を犠牲にすることなく、駆動ユニットを囲む設置環境上への振動を低減する改善された駆動ユニット構造を提供することである。更なる目的は、シェイバーヘッドのカッター要素の振動振幅を容易に適合させることと、駆動ユニットの振動振幅を、シェイバーヘッドのカッター要素の所望の振動振幅とマッチさせることとを、可能にすることである。他の更なる目的は、駆動部品のより小さい制限的製造公差を、性能特性例えば安定振動周波数、十分な振幅、及び低振動を低下させることなく可能にすることである。別の目的は、複雑な取付け構造を回避して、駆動ユニットをハンドピースを形成するハウジング要素内に、更なるスペースを必要とすることも既定の人間工学的ハウジングを再デザインすることもせずに設置できるようにすることである。更なる目的は、速度伝達比を増加又は減少させることによって、より低い駆動力をより高い振動振幅で又はより高い駆動力をより小さい振動振幅で提供することである。
【００１３】
前述の目的のうちの少なくとも１つを達成するために、駆動ユニットを取付け構造上に支持する駆動支持体を、駆動部品が互いに対して線形振動することに加えて、駆動ユニットが周囲の取付け構造に対して回転運動を行なうように適合させる。駆動部品は、互いに対して、反対方向に線形変位を行なってもよいが、駆動ユニット全体は回転又は旋回振動を行なってもよく、この振動は機能要素（例えばカッター要素）に、伝達部（対応する回転及び／又は旋回振動を伝達部の長手軸に実質的に垂直な軸の周りに行なう）を介して伝達される。特に、駆動支持体は偏心旋回軸を規定してもよい。旋回軸は、駆動部品によって生じる振動の中心から離間に配置してもよいし、及び／又は駆動ユニットの重心から離して離間に配置してもよいし、及び／又は２つの駆動部品の重心から離して離間に配置してもよい。このような偏心旋回軸が駆動支持体によって規定されることによって、振動する駆動部品の振動を、駆動ユニット、伝達部、及びカッター要素を含む駆動列システムの回転又は旋回振動に変換することができ、それにより駆動部品の振動振幅をカッター要素の振動振幅への変換が実現される。このような旋回及び／又は回転振動の中心点に応じて、駆動ユニットの振動振幅は、駆動ユニットの振動振幅から変化している場合があるカッター要素振動振幅に変換される。伝達比は、旋回及び／又は回転振動の中心点の位置を調整することによって調整することができる。カッター要素の振動振幅を駆動ユニットの振動振幅よりも小さく又は大きくなるように調整してもよい。
【００１４】
加えて、このような更なる回転自由度によって、駆動部品が互いに対して線形的に振動できるだけでなくて、ある程度までともに旋回又は回転できることによって、設置環境上への振動を著しく減少させることができる。また、駆動ユニットの振動をハンドピースから離して保持することができる。一方で、駆動部品は線形振動軸に沿って互いに対して振動してもよく、他方で、互いに対して振動するときに、駆動部品は両方とも、駆動キャリアの回転自由度に起因して、前記回転軸の周りに振動可能に回転又は旋回してもよい。振動する駆動部品間の製造公差及び／又は位相オフセットによって生じるトルクが設置環境の取付け構造に移らないため、電気器具のより快適な取り扱いが可能になる。
【００１５】
これら及び他の優位点は、図面及び可能な例を参照しながら以下の説明からより明らかになる。
【図面の簡単な説明】
【００１６】
【図１】電気シェイバーという形でのパーソナルケア用の小型電気器具の斜視部分図であり、電気シェイバーはシェイバーヘッドを有し、シェイバーヘッドは２つのカッター要素を含み、２つのカッター要素は、シェイバーのハンドピースを形成するシェイバーハウジング内に収容される線形型駆動ユニットによって振動可能に駆動可能である図である。
【図２】線形振動用に支持された磁気型駆動部品と周囲の取付け構造とを含む駆動ユニットの平面図であり、駆動支持体によって駆動ユニットは取付け構造に接続され、前記駆動支持体は、駆動ユニットを周囲の取付け構造に接続する板バネを含み、周囲の取付け構造に対する駆動ユニットの、偏心旋回軸による回転自由度を与えるように図示されている図である。
【図３】図２と同様の駆動ユニットの平面図であり、図２と比べて、駆動支持体の板バネが反対の傾斜で配列されて、駆動ユニットに対する偏心旋回軸がその反対側に規定されている図である。
【図４】駆動ユニットが周囲の取付け構造に堅固に固定される線形振動タイプの従来技術駆動ユニットの平面図である。
【図５】図４の駆動ユニットの斜視図である。
【発明を実施するための形態】
【００１７】
駆動ユニットの振動振幅とカッター要素の振動振幅との間の速度伝達比及び駆動力を達成するために、及び／又は駆動ユニットで発生するトルクに起因する回転振動が許容誤差又は位相オフセットに起因して移ることを回避するために、駆動部品を含む駆動ユニットは、周囲の取付け構造に対して回転運動が行なえるようになっている。より詳細には、駆動部品を含む駆動ユニットとそれに接続された伝達部とが前記周囲の取付け構造に対して回転することができる。前記駆動部品は、互いに接続されて、実質的に線形変位又は振動軸に沿って互いに対して線形に振動する。態様によれば、駆動ユニットを取付け構造上に支持する駆動支持体は、駆動部品が互いに対して振動することに加えて、前記駆動ユニット及びそれに取り付けられた伝達部が取付け構造に対して前記少なくとも１つの回転軸の周りで回転するための少なくとも１つの回転軸を与えるように適合されている。
【００１８】
このような回転軸に起因して、駆動ユニットは、回転振動及びトルクに関して、周囲の取付け構造から分離されている。
【００１９】
したがって、駆動支持体によって規定される回転軸又は旋回軸は、駆動ユニットの振動の中心及び／又は駆動ユニットの重心に対して偏心しており、駆動部品の振動によってもたらされるこのような振動は、前記旋回軸に対するてこ作用アームを有し、それにより駆動ユニット、伝達部、及び前記伝達部によって駆動ユニットに接続された少なくとも１つの機能要素（例えば、カッター要素）を含む駆動列システムの旋回振動が生じる。このような旋回軸の偏心位置が前述の振動中心及び／又は重心から離れて離間に配置されていることによって、駆動部品の振動振幅が、駆動部品の振動振幅とは異なり得るカッター要素の振動振幅に変換される。伝達比は、駆動部品に対する旋回軸の位置に依存するため、カッター要素振動振幅としては駆動部品の振動振幅より小さいもの又は大きいものが達成される場合がある。
【００２０】
駆動支持体及び／又はその第２のバネ装置を、駆動列システムの中心の長手軸及び／又はシェイバーのハンドピースの長手軸及び／又は伝達部の長手軸及び／又は駆動ユニットの長手軸上に位置するように旋回軸を規定するように適合させてもよい。
【００２１】
駆動ユニットの振動振幅をカッター要素のより大きい振動振幅に変換する速度伝達比を達成するために、駆動ユニットのカッター要素とは反対側に旋回軸を規定するように駆動支持体を構成してもよい。駆動ユニットの振動振幅と比べてカッター要素の振動振幅をこのように増加させることは、カッティング速度を増加させるために優位である可能性がある。代替案では、駆動支持体及び／又はそのバネ装置を、旋回軸を駆動ユニットのカッター要素に面する側に位置するように規定して、カッター要素振動振幅が駆動部品の振動振幅よりも小さい速度伝達比を達成するように構成してもよい。このようにカッター要素振動振幅が小さいことは、カッティング力の増加を望むときには優位な場合がある。なぜならば、カッター要素振動振幅の低減は、カッティング力の増加と同時に起こるからである。
【００２２】
駆動ユニットを取付け構造に接続する駆動支持体のバネ装置は異なる構成を有してもよい。例えば、一対のつる巻きバネを駆動ユニットの両側のそれぞれに設けて、駆動ユニットの両側がそれぞれ、一対のつる巻きバネによって取付け構造の対応する部分に接続されるようにしてもよい。このようなつる巻きバネは、異なるバネ特性及び／又はバネ力を有して、旋回軸を駆動ユニットの中心に対して偏心するように規定してもよい。
【００２３】
このようなつる巻きバネ構成に対する代替案では、駆動ユニットを取付け構造に接続する駆動支持体は、互いに対して傾斜して特にＶ状配列を有するように配列された一対の板バネを含んでいてもよい。このような板バネは、駆動ユニットの両側に位置するため、駆動ユニットは各側の板バネによって取付け構造の両側に接続されている。
【００２４】
駆動ユニットの両側にあるこのような板バネは、駆動部品が非能動であるときの駆動ユニットの中立位置にある板バネを通って進む長手方向軸が鋭角を規定するように配列してもよい。板バネの長手方向軸間のこのような鋭角は、２×０−５°〜２×２５°又は２×０−５°〜２×１０°又は２×１°〜２×５°の範囲であってもよい。
【００２５】
前述の板バネはそれぞれ、取付け構造に対する接続点と駆動ユニットに対する接続点とを有していてもよい。取付け構造に対する接続部は、駆動ユニットとシェイバーヘッドとの間のどこかに位置していてもよく、駆動ユニットに対する接続点は、シェイバーヘッドと反対側の駆動ユニットの領域内のどこかに位置していてもよい。
【００２６】
加えて又は代替的に、前述の板バネは実質的に駆動ユニットの側面全体に沿って延在していてもよい。各板バネは駆動ユニットの少なくとも５０％又は更には７５％に沿って延在していてもよい（その長手方向の延びをハンドピースの長手軸に沿って測定することを考慮したときに）。
【００２７】
より一般的な態様によれば、駆動支持体は、駆動ユニットを取付け構造に対して支持する一対のバネ要素を含んでいてもよい。前記バネ要素対は、駆動キャリアを前記回転軸の周りに回転可能に支持する４点接合部を規定してもよい。バネ要素は、バネバーリンク機構を形成して、バネバーリンク機構が接続される駆動支持体の対応する部品が回転運動できるようにしてもよい。バネバーリンク機構は、このような回転運動を可能にするために弾力的に変形してもよい。より詳細には、前述のバネ要素は、曲げ及び／又は屈曲して及び／又は張力をかけ及び／又は圧縮してもよく、その結果、バネ要素が接続される駆動ユニットの部品が回転運動することができる。
【００２８】
より詳細には、前記バネ要素対によって規定される前述の４点接合部は、２点が取付け構造に固定されて、他の２点が駆動ユニットの構造要素に固定されていてもよい。駆動ユニットに固定される２点は、バネ要素の弾性変形に起因して取付け構造に対して動いてもよいため、周囲の取付け構造（電気器具のハンドピースであってもよい）に対する駆動ユニットの回転運動が可能になる。
【００２９】
回転振動の前述の中心は、第１及び第２の駆動部品間のどこかの領域にあってもよい。回転振動のこのような中心の正確な位置は、いくつかの要因（例えば、各駆動部品の重量、線形振動に対して駆動部品を支持する支持要素の剛性、及び線形振動を可能にする支持体要素によって規定される運動学）に依存してもよい。回転振動のこのような中心は、例えば、試験によって及び／又は計算法、例えば有限要素法によって決定してもよい。
【００３０】
態様によれば、駆動支持体が多軸回転自由度を与えて、駆動ユニット及び／又は少なくともその能動駆動部品が複数の回転軸の周りに回転し得るようにしてもよい。
【００３１】
態様によれば、少なくとも１つの回転軸は、駆動ユニットの振動軸を横断するように及び／又は電気器具のハンドピースの長手軸を横断するように延在してもよい。より詳細には、回転軸は、駆動部品の振動軸と駆動すべき機能要素に駆動ユニットを接続する仮想線とによって規定される平面に実質的に垂直に、及び／又は駆動ユニットの能動駆動部品の振動軸と駆動すべき機能要素（例えば、シェイバーの長手軸を横断するように振動するシェイバーのカッター要素）の振動軸とによって規定される平面に実質的に垂直に延在してもよい。
【００３２】
駆動支持体によって与えられる前述の回転自由度は、互いに対して振動する両方の駆動部品に対して与えてもよい。第１及び第２の駆動部品の両方のこのような自由度が、２つの部品が互いと角度不一致になることを回避するのに役立つ場合があるため、第１の駆動部品と第２の駆動部品との間に非常に小さい間隙のみを与えることが可能になり、それにより効率が増加する。
【００３３】
前記第１及び第２の駆動部品を異なる仕方で可動に支持して、互いに対して線形振動することを可能にしてもよい。例えば、第１及び第２の駆動部品を駆動キャリア構造上に別個に及び／又は互いに独立して支持してもよい。代替案では、例えば駆動部品が互いに対して線形振動することを可能にする振り子支承又は４点支承によって、第１及び第２の駆動部品を互いに接続してもよい。例えば、一対の旋回バー又は板バネによって第１の駆動部品を第２の駆動部品に接続して、前記第１及び第２の駆動部品が振動軸に沿って互いに対して振動し得るようにしてもよい。旋回バー又は板バネは、このような相対振動が可能となるように旋回し及び／又は曲がってもよい。特に、前記振り子支承を平行四辺形支持体という形で構成して、振り子脚部のねじれ及び／又は回転に起因して駆動部品が振動することができるようにしてもよい。
【００３４】
周囲構造上に設けられる駆動部品の駆動支持体は、駆動部品の１つを駆動キャリア上に支持する振り子支承又は４点支承を含んでいてもよい。第１及び第２の駆動部品が、前述したような平行四辺形リンク機構又は板バネによって互いに接続されているときに、振り子支承はまた、このような平行四辺形リンク機構又は板バネを駆動キャリア上で移動可能に支持してもよい。それにより駆動部品が駆動キャリアに対して一種の間接的な方法で、すなわち駆動部品を互いに対して支持する第１の振り子支承、及び第１の振り子支承を駆動キャリアに対して支持する第２の振り子支承によって支持される。このような第１及び第２の振り子支承を、前述の第１及び第２のバネ装置によって形成してもよいし、又はそれらとは別個に形成してもよい。
【００３５】
特に、一対の板バネを、駆動部品（又は駆動部品を互いに接続する平行四辺形脚部又は振り子支承）の１つを駆動キャリア上に支持するために設けてもよい。このような板バネは、板バネの長手軸が互いに傾斜して延在しながら、駆動部品の両側上で延在してもよい。前記板バネはそれぞれ、駆動部品の一方の側で駆動キャリアに接続する接続点と、板バネが接続される駆動キャリア部分の反対側で駆動部品に接続する第２の接続点と、を有していてもよい。言い換えれば、板バネは、板バネが接続されていない駆動部品上に延在する一種のブリッジを形成してもよい。
【００３６】
設置環境の前述の取付け構造は、ハウジング内に収容され及び／又は電気器具のハンドピース内の固定位置に保持される取付けフレームであってもよい。代替案では、取付け構造を、ハウジング要素又はハンドピースの内面によって直接形成してもよい。
【００３７】
駆動ユニットが前記更なる回転自由度の周りで回転運動することを抑えるために、駆動支持体は制動器を含んでいてもよい。制動器は、駆動ユニットの回転エネルギーを散逸させて、駆動ユニットが前記少なくとも１つの回転軸の周りで運動することを遅らせるものである。
【００３８】
パーソナルケア用の電気器具は、電気シェイバーであってもよく、シェイバーハウジングによって形成されたハンドピースと、前記ハンドピース上に１つ以上の旋回軸の周りに旋回可能に支持されたシェイバーヘッド（そのためシェイバーヘッドは剃毛すべき皮膚の外形に自己適応できる）と、を含んでいてもよい。
【００３９】
シェイバーヘッドは１つのカッター要素のみを含んでいてもよいが、シェイバーヘッドは２つ、３つ、又はそれ以上のカッター要素を含んでいてもよい。シェイバーヘッドは、更なるカッティング又は非カッティング機能要素を含んでいてもよい。例えば、剃毛すべき皮膚部分を冷却若しくは加熱するための熱素子、又は長髪カッター、又は流体（例えば、脱臭剤、バルム、又は潤滑剤）を皮膚上に塗布するための流体塗布器である。
【００４０】
電気リニアモータの駆動力及び動きを少なくとも１つのカッター要素に伝達するための伝達列は、モータの型及びその配列に応じて種々のアーキテクチャ及び構造を有していてもよい。例えば、駆動ユニットは、前述のカッター要素又はアンダーカッターに直接又は振動ブリッジを介して結合された往復ピンであって、前記ピンの長手軸角度方向に対してカッター要素が旋回することを可能にする往復ピンを含んでいてもよい。
【００４１】
これら及び他の特徴は図面に示す例からより明らかになる。図１から分かるように、シェイバー１は、シェイバーを保持するためのハンドピースを形成するシェイバーハウジング２を有していてもよい。シェイバーハウジング２は、異なる形状を有していてもよく、例えば−大まかに言うと−シェイバーを人間工学的に掴んで保持することを可能にする実質的に円筒形状又は箱形又は骨形状である。このようなシェイバーハウジングは、このようなハウジングの細長い形状（図１を参照）に起因して長手方向のシェイバーハウジング軸２５を有している。
【００４２】
シェイバーハウジング２の一方の端部上で、シェイバーヘッド３がシェイバーハウジング２に取り付けられている。シェイバーヘッド３は、シェイバーヘッド旋回軸ｘ（前述の長手方向のシェイバーハウジング軸に実質的に垂直に延在する）の周りに旋回可能に支持することができる。シェイバーハウジング２は、シェイバーハウジング２のシェイバーヘッドエンドから突き出ている一対の支持アームを有していてよく、支持アーム間で、シェイバーヘッド３のキャリア構造（例えば、シェイバーヘッドフレームという形で）を前記シェイバーヘッド旋回軸ｘの周りで旋回可能に取付けることができる。
【００４３】
図１から分かるように、シェイバーヘッド３は一対のカッター要素４を含んでいてもよい。このようなカッター要素４のうちの１つ又は３つ以上のみを設けてもよい。このようなカッター要素４は、対応するカッター要素４を覆うせん断フォイルと協同する複数のせん断刃を伴うブロック状のアンダーカッターを形成してもよい。前記カッター要素４は、細長い形状を有し、長手軸が、前述のシェイバーヘッド旋回軸に実質的に平行に及び／又はカッティング振動軸８（これに沿ってカッター要素４が振動可能に駆動される）に実質的に平行に延在していてもよい。
【００４４】
図２から分かるように、シェイバーヘッド３においてカッター要素４を駆動するためにシェイバーハウジング２内に収容してもよい駆動ユニット５は、線形振動型であり、第１の駆動部品６及び第２の駆動部品７（振動軸９に沿って互いに対して振動してもよい）を含んでいてもよい。前記第１の駆動部品６は、伝達部１０によって前述のカッター要素４に結合された能動駆動部品を形成してもよい。伝達部１０は、駆動ユニット５からシェイバーヘッド３の方へ延在する伝達部ピン１１を含んでいてもよい。このような伝達部ピン１１をカッター要素４に直接結合してもよい。結合は、例えば、シェイバーヘッド３の旋回を補償する更なる横方向の自由度を可能にする旋回支承による。代替案では、伝達部１０は、更なる伝達部品、例えば伝達ブリッジを含んでいてもよい。なぜならば、それ自体は当該技術分野で知られているからである。
【００４５】
図２によって示すように、前記第２の駆動部品７は１つ以上の振動する磁気コイル１２を含んでいてもよいが、第１の駆動部品６は１つ以上の永久磁石を含んでいてもよい、しかし、コイル１２が第１の駆動部品６に付随して、永久磁石が第２の駆動部品７に付随する反対の配列を選択してもよい。駆動ユニット５は更に、第１の駆動部品６と第２の駆動部品７との間に配列された１つ以上の共振バネを含んで、第１及び第２の駆動部品６及び７が互いに対して固有周波数で振動することを促進してもよい。
【００４６】
図２から分かるように、第１及び第２の駆動部品６及び７を振り子支承１４によって互いに接続してもよい。振り子支承１４は、振り子バー１５（図２を参照）によって形成される４点リンク機構を含んでいてもよい。このような振り子バー１５は多少の弾力性を有していてもよいし、又は曲がり得る板バネによって形成されていてもよい。その結果、駆動部品の相対運動が可能になる。加えて又は代替的に、前記振り子バー１５は、第１及び第２の駆動部品６及び７に、駆動部品６及び７に対する振り子バー１５の旋回を可能にする旋回接合部において接続してもよい。このような旋回接合部は、ゴム支承又は他の弾性支承手段を含んで、振り子バー１５（このような場合は硬くてもよいし又は弾性であってもよい）の弾性旋回を可能にする何らかの弾性を与えてもよい。言い換えれば、振り子バー１５は曲がり及び／又は旋回して、駆動部品６及び７が互いに対して線形振動することができてもよい。こうして、両方の駆動部品６及び７は線形振動を行なってもよい。このような振動は一種の逆運動でもたらされる。第１の駆動部品６が左に移動するときに第２の駆動部品７が右に移動し、逆もまた同様である。
【００４７】
駆動ユニット５は、駆動支持体１７によって取付け構造１６上に支持されている。前記取付け構造１６は、駆動ユニット５を囲むフレーム構造であってもよい。このような取付けフレームは、駆動ユニット５を囲む閉リング又は矩形を形成してもよい。前記取付け構造１６を、シェイバーハウジング２に、例えば取付けフランジによって堅固に固定してもよいし、又はシェイバーハウジング２の固定位置に、好適な固定手段、例えばネジ又はラッチング手段によって保持してもよい。前記取付け構造をシェイバーハウジング２によって直接形成してもよい。
【００４８】
駆動部品６及び７を周囲の取付け構造上に支持するために、駆動支持体１７は、駆動部品６の１つを取付け構造にリンクする更なる振り子支承２７を含んでいてもよい。より詳細には、このような更なる振り子支承２７は、駆動ユニットの両側で実質的に互いに垂直に延在していてもよい更なる板バネ対２８を含んでいてもよい。前記板バネ２８はそれぞれ、第１の駆動部品６に対する接続点２９と取付け構造１６に対する接続点３０とを有している。このような第２の組の板バネ２８は、第２の駆動部品７の一方の側にある第１の駆動部品６から、第２の駆動部品７の反対側にある取付け構造１６まで延在する一種のブリッジを形成しており、それにより第２の駆動部品７が橋渡しされている。このような更なる振り子支承２７は基本的に、前述した他の振り子支承１４と同様の構成を有していてもよい。特に、それは、接続点２９及び３０において弾力的に支持される硬い振り子バーを含んでいてもよい。支持は、弾性旋回接合部例えばゴム支承又は他の弾性支承手段であって、振り子バーの弾性旋回を可能にする多少の弾力性を与えるものによって行なわれる。このような弾性旋回接合部は、板バネ２８を振り子リンク機構として用いるときに設けることもできる。
【００４９】
前記振り子支承２７及び／又は前記板バネ対２８は、駆動ユニット５が回転軸２２（図２を参照）の周りを実質的に旋回振動することを可能にする４点リンク機構を形成してもよい。
【００５０】
しかしながら、駆動部品６及び７を、説明した振り子支承構成によって取付け構造１６上に支持することは、１つの可能な実施形態に過ぎないと述べなければならない。他のタイプの支持体も可能である。
【００５１】
図２及び３によって示すように、駆動支持体１７の前記板バネ２８は鋭角で延在して、前記板バネ２８（より詳細には、前記板バネ２８の中心部分）の破線２０によって示す長手方向軸が、駆動ユニット５の中心領域の外側に位置する仮想交点２１を有するようになっていてもよい。板バネ２８の位置及び角度方向を、駆動ユニット５がその回転ホーム位置（すなわち、駆動部品６及び７が非能動であるときに駆動支持体１７の板バネ２８によって保持される中立位置）にあるときに、前述の交点２１が駆動ユニット５及び／又は駆動列全体（伝達部ピン１１を含む）の長手方向の中心線に少なくとも隣接して位置するように、適合させてもよい。
【００５２】
より詳細には、駆動支持体１７及び／又はその板バネ２８は、駆動ユニット５が取付け構造１６に対して回転するときの回転軸２２が、駆動ユニット５の可能な回転振動の中心に対して偏心してそこから離間に配置されるように、適合されている。
【００５３】
板バネ２８は曲がるため、駆動ユニット５は基本的に多軸旋回又は回転を行なってもよい。しかし、駆動支持体１７によって回転軸２２が与えられる。このような少なくとも１つの回転軸２２は、駆動ユニット５の振動軸９を横断し及び／又はシェイバー１のハウジング２又はハンドピースの長手軸２５を横断する方向に延在していてもよい。図２及び３を参照して、前記回転軸２２は図面平面に垂直に延在してもよい。
【００５４】
板バネ２８の傾斜に応じて、仮想交点２１を駆動ユニット５の異なる側面上の種々の点に、実質的にハンドピース又はシェイバーハウジング２の長手軸２５に沿って位置させることができる。図２から分かるように、板バネ２８をＶ配置で配列して、鋭角が例えば２×０−５°〜２×１０°の範囲であってもよい。このようなＶ配置の方位は、駆動ユニット５のシェイバーヘッド３と反対側に交点２１が来るように選択してもよい。このような構成によって、駆動部品６及び７の振動振幅に対するカッター要素４の振動振幅を増加させる速度伝達比が与えられる。
【００５５】
他方では、図３によって示すように、板バネ２８のＶ配列の方位を、シェイバーヘッド３に面する駆動ユニット５側に交点２１が来るように選択してもよい。交点２１はシェイバーヘッド３の向こう側に位置してもよい。すなわちシェイバーヘッド３が交点２１と駆動ユニット５との間にある（図３を参照）。このような構成によって、駆動ユニット５の振動振幅に対するカッター要素４の振動振幅を減少させるが、カッター要素４における駆動力を増加させる速度伝達比が達成される場合がある。
【００５６】
板バネ２８及び／又は振り子支承２７の曲げ及び／又は変位があるために、交点２１の正確な位置は変わって回転軸は動く場合がある。
【００５７】
図２及び３とは対照的に、図４及び５に示すのは従来の駆動ユニット構造である。したがって、駆動ユニット５は図２及び３の駆動ユニット５と基本的に同様であるが、２つの駆動部品が互いに対して振動するように駆動部品を支持する駆動キャリアは、取付け構造１６に堅固に固定されている。参照数字２３によって、図４においてこのような硬い接続部が指定される。
【００５８】
シェイバーヘッド３は、前述のカッター要素対４間に配列してもよい更なる機能要素、例えば長髪カッターを含んでいてもよい。
【００５９】
カッター要素４は、カッティング振動軸８に沿って振動可能に駆動することができる。このようなカッティング運動に加えて、カッティング要素４は、前記カッティング振動軸８を横断する方向に旋回可能及び移動可能である。
【００６０】
本出願の文脈において、不定冠詞「ａ／ａｎ」は、これに反して指定されない限り、「少なくとも１つ／又はそれ以上」の意を有するものとする。更に、幾何学的定義、例えば「垂直である」又は「平行である」は、正確な数学的意味を含むがそれに限定されないように、「少なくとも実質的に垂直である」又は「少なくとも実質的に平行である」と理解されるものとする。更にまた、本明細書で開示した寸法及び値は、列挙した正確な数値に厳密に限定されると理解すべきではない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【図１】
0006405046.tif 000002
【図２】
0006405046.tif 000003
【図３】
0006405046.tif 000004
【図４】
0006405046.tif 000005
【図５】
0006405046.tif 000006